(57)【特許請求の範囲】
【請求項１】
遊技機本体に配設される遊技盤と、該遊技盤を覆うように、その一側縁を枢支して遊技機本体に開閉可能に配設される透明前面扉とを備え、該透明前面扉に設けられた保持窓枠に透明板が装着されてなる遊技機において、
下部に底面部が形成された、透明板下縁を内外で挟持する断面袋状装着部を備え、断面袋状装着部の底面部で透明板の下端縁を支持する透明板支承片を、透明前面扉の保持窓枠の下辺に、係脱可能に設けたものであって、
透明板支承片は、下方向に突出する挿入突部を備え、保持窓枠の下辺に設けられた突部挿入口に、該挿入突部を挿入して保持窓枠に係着されるものであり、
さらに保持窓枠には、透明板下縁を支持する下側支持部が下辺に沿って形成されていると共に、該下側支持部の、透明板支承片の断面袋状装着部に対向する部位に、該装着部を嵌入する嵌入開口が形成されていることを特徴とする遊技機。
【請求項２】
遊技機本体に配設される遊技盤と、該遊技盤を覆うように、その一側縁を枢支して遊技機本体に開閉可能に配設される透明前面扉とを備え、該透明前面扉に設けられた保持窓枠に透明板が装着されてなる遊技機において、
下部に底面部が形成された、透明板下縁を内外で挟持する断面袋状装着部を備え、断面袋状装着部の底面部で透明板の下端縁を支持する透明板支承片を、透明前面扉の保持窓枠の下辺に、係脱可能に設けたものであって、
透明板支承片は、下方向に突出する挿入突部を備え、保持窓枠の下辺に設けられた突部挿入口に、該挿入突部を挿入して保持窓枠に係着されるものであり、
さらに該透明板支承片は、遊技盤方向に突成されて、透明板の持ち上げ操作を可能とする指掛け突部を備えていることを特徴とする遊技機。
【発明の詳細な説明】
【０００１】
【発明の属する技術分野】
本発明は、ガラス材、透明樹脂材等からなる透明板を保持する透明前面扉を備えた遊技機に関するものである。
【０００２】
【従来の技術】
遊技機本体に配設される遊技盤と、該遊技盤を覆うように、その一側縁を枢支して遊技機本体に開閉可能に配設される透明前面扉とを備える遊技機は種々提案されている。特にパチンコ遊技機にあって、透明前面扉は、内周に内外二つの収納溝が形成された保持窓枠と、各収納溝に夫々装着された内外の透明板とで構成されており、二枚の透明板を介して遊技盤面が視認されるようになっていることが一般的である。
【０００３】
この従来構成の透明前面扉は、保持窓枠の左右辺の内周と下辺の内周に収納溝が形成され、透明板を該収納溝の両側縁及び下縁で支えることにより保持するようになっている。また上辺には挿入開口が形成され、ガラス板等の透明板を装着する場合にあって、前面扉を遊技機本体に対して開放し、透明板を保持窓枠の上方から挿入開口に挿入して両側の収納溝に沿って、その自重により所定の装着位置に落とし込まれるようになっている。なお、この挿入開口を杆状の閉塞桟により遮蔽して、透明板をその上縁でも保持するようにした構成も提案されているが、閉塞桟は、その両端部を保持窓枠に固定するものであるから、形状が複雑となり製造が面倒であり、適用されていない構造が多い。
【０００４】
【発明が解決しようとする課題】
透明板は、設置される遊技店への搬送途中で破損することを防ぐために、工場出荷の時点では透明前面扉に装着されていない状態となっており、遊技機が遊技店の島設備に設置された時点で透明板が装着される。
ところで透明板は、上部の開口部より１枚ずつ挿入する必要があり、取付け作業や取り外し作業が大変煩わしいものとなっている。すなわち、透明板は通常ガラス板からなり、遊技球の衝突や外部からの衝撃に耐えれるように厚く作られているため比較的重いものとなっている。その透明板を保持窓枠の上部の開口部まで持ち上げ、収納溝に沿わせ細心の注意を図りながらゆっくりと下方にスライドさせなければならず、透明板の挿入作業は難しい作業であった。特に、内外に二枚の透明板を配する遊技機にあっては、先に外側の透明板を挿入した後の、内側の透明板の挿入作業は一層難しいものとなっていた。
【０００５】
また、内外の透明板間には遊技機の情報や遊技店の情報が記載された遊技案内プレートが装着される。この装着は一旦、内外の透明板を装着した後に、内側透明板を上方向にずらして隙間から該プレートを挿入する必要があり、一方の手で内透明板を保持し、落とし込み時まで他方の指で遊技案内プレートを支持しておいて、内透明板の落とし込み操作を行うこととなって、作業が面倒であり、しかも手を離した際に、該プレートが傾いた場合には、作業をやり直す必要もあった。このように内側透明板は、遊技場に設置した後も上下方向に移動させる作業を比較的頻歩に行うこととなっているため、その度毎に難しく、かつ、効率の悪い作業を行わなければならなかった。また、このような透明板の挿入作業にあっては、直接透明板を手で触って行っているから、透明板に付着した手垢等の汚れを拭き取らねばならず、余計な作業を要することとなっていた。
本発明は、かかる問題を解決することを目的とする。
【０００６】
【課題を解決するための手段】
本発明は、遊技機本体に配設される遊技盤と、該遊技盤を覆うように、その一側縁を枢支して遊技機本体に開閉可能に配設される透明前面扉とを備え、該透明前面扉に設けられた保持窓枠に透明板が装着されてなる遊技機において、透明板下縁を挟持する内外一対の弾性側片を有し、下部に底面部が形成された断面袋状装着部を備え、断面袋状装着部の底面部で透明板の下端縁を支持する透明板支承片を、透明前面扉の保持窓枠の下辺に、係脱可能に設けたものである。
【０００７】
ここで、透明板支承片は、内外の弾性側片が対向する間隔より拡開されると、断面袋状装着部の袋形状の有する弾性作用によって、元の位置に戻ろうと反発力を生じることとなる。すなわち、内外一対の弾性側片間に、弾性側片間隔よりも広い板厚の透明板が挿入されると、板厚方向に弾性側片から受ける付勢力によって該透明板を挟持することができる。また、透明板支承片は、断面袋状装着部の内側下部で透明板の下端縁を支持することにより、透明板を一層安定的に保持できる。このため、断面袋状装着部の内側下部を透明板の下端縁と面接触する形状とすることが好ましい。また、このような透明板支承片は、複数個設けることも可能であるし、保持窓枠の下辺に沿って比較的長いものを一個設けるようにすることもできる。
【０００８】
かかる構成にあって、保持窓枠の下辺に設けた透明板支承片の、内外の弾性側片間に透明板の下縁を挿入することにより、透明板が弾性側片から板厚方向に受ける付勢力によって挟持され、保持窓枠に装着される。このように、透明板は下縁で透明板支承片により挟持されることにより、保持窓枠に安定的に保持されることとなる。一方、透明板の挿入作業にあっては、透明板を透明板支承片への挿入移動量だけ動かせば良いこととなるから、作業負担を軽減することができる。また、透明板は、傾斜させた状態で透明板支承片の開口部から挿入し、垂直状態に傾動させて所定の装着状態とすることも可能である。さらには、この透明板支承片は保持窓枠と係脱可能としていることにより、透明板に該透明板支承片を予め取り付けた後、保持窓枠に装着することも可能である。このように、透明板の挿入作業を上下方向の移動だけでなく、前後方向の傾動によっても行うことができるから、挿入作業の作業性を一層容易なものとすることができるという優れた利点が生じる。
【０００９】
このような透明板支承片は、少なくとも遊技盤面に対面する透明板の装着に利用されることが望ましい。すなわち、複数の透明板が備えられる遊技機にあっては、最内側の透明板に利用することが良い。これは、例えば、内外に二つの透明板を備える従来のパチンコ遊技機にあって、先に外側の透明板を装着した後の、内側の透明板の装着作業が容易となるから、透明板装着の作業性を向上することができる。さらには、内外の透明板間にプレートを装着する場合に、内側の透明板を上方向にずらす作業が容易となるから、頻歩に行われるプレート挿入作業の負担が軽減されるという優れた効果を発揮し得る。
【００１０】
上述の透明板支承片が、下方向に突出する挿入突部を備えると共に、保持窓枠の下辺に設けられた突部挿入口に、該挿入突部を挿入して透明板支承片を保持窓枠に係着するようにした構成が提案される。かかる構成にあっては、透明板支承片が透明板を挟持する横方向の付勢力と直交する下方向に突出する挿入突部によって保持窓枠に係着するようにしたことにより、保持窓枠との係着により生じる力が、透明板を挟持する力に影響を及ぼすことを極力抑えることができるから、透明板を安定的に保持することが可能である。また、透明板支承片を保持窓枠に係着すること、又は保持窓枠から取り外すことを容易に行うことができる。そして、上記のように、予め透明板に透明板支承片を取り付けた後に保持窓枠に係着することが容易に行い得る。このため、透明板支承片を取り付けた透明板を傾斜された状態で、挿入突部を斜めに突部挿入口に挿入た後、透明板が水平状態となるように傾動させて装着することもできる。而して、透明板の装着作業の負担が一層軽減できるという優れた効果がある。ここで、挿入突部は、透明板を保持する弾性側片の付勢力を低減させない位置から設けられることが望ましい。例えば、弾性側片の下方部位から直接突出して設けられたり、水平方向に突出した先で下方向に屈折するような形状により形成されるものとすることもできる。
【００１１】
また、かかる構成にあって、透明板支承片を持ち上げることにより、透明板を上方向に移動させることができるから、例えば、内外に二つの透明板を備える従来のパチンコ遊技機にあって、内外の透明板間に装着する遊技案内プレートを配する場合に、内側の透明板を上下方向にスライドさせる作業が容易となる。また、このように透明板を上方向にずらす場合に、透明板に直接触れることなく作業することが可能であるから、当該作業終了後に透明板に付着した手垢等をふき取る作業をする必要がなくなる。
【００１２】
上述の保持窓枠が、透明板下縁を支持する下側支持部を、下辺に沿って形成すると共に、該下側支持部の、透明板支承片の断面袋状装着部に対向する部位に、該装着部を嵌入する嵌入開口が形成されている構成が提案される。かかる構成によって、透明板は透明板支承片で挟持されると共に、下側支持部で支持されることとなるから、透明板は一層安定して保持窓枠に保持されることとなり得る。さらに、透明板支承片の透明板の保持負担を軽減することができるから、透明板支承片の疲労破壊に至る寿命を向上させることができる。また、嵌入開口に断面袋状装着部を嵌入するようにしたことによって、保持窓枠に係着される透明板支承片の係着位置が明確に規定されるから、透明板支承片を保持窓枠に適切に係着させることができ、係着位置がずれる等して不安定な状態で透明板が保持されることを防止できる。さらには、透明板を上方向に移動する場合には、断面袋状装着部の下部を下から持ち上げることができるから、透明板を上方向にスライドさせる作業を効率的に行うことができる。
【００１３】
一方、透明板支承片の内外一対の弾性側片に、透明板下縁を相互に挟持する挟持部と、該挟持部から相互に拡開方向へ傾斜する案内開口部とを備えている構成が提案される。かかる構成により、透明板は案内開口部によって挟持部に案内されるから、該挟持部で透明板を適正に挟持させることが容易にできる。また、案内開口部により、傾斜状態とした透明板を挿入する場合にあっても、該透明板を挟持部に適切に案内させることができるから、上記した傾斜状態で挿入して垂直状態に傾動させる挿入する装着作業が一層容易となる。
【００１４】
上述の透明板支承片が、遊技盤方向に突成されて、透明板の持ち上げ操作を可能とする指掛け突部を備えている構成が提案される。かかる構成により、透明前面扉を開放して、透明板を上方向に持ち上げる作業や、その後再びを保持窓枠に装着させる作業を一層容易に行い得る。而して、例えば、内外に二つの透明板を備える従来のパチンコ遊技機にあって、内外の透明板間に遊技案内プレートを配する場合に、内透明板を上下方向にスライドさせる作業の負担が軽減される。また、このように透明板を持ち上げる場合に、透明板に触れることなく作業することが可能であるから、当該作業終了後に透明板に付着した手垢等をふき取る作業がが必要なくなる。ここで、指掛け突部は、透明板を持ち上げる作業時に、透明板を挟持する力が低減しない位置に設けられることが望ましい。
【００１５】
一方、保持窓枠の両側辺に、透明板の両側縁を規定する透明板の厚さとほぼ等しい幅の側壁部を後方へ突成し、該側壁部の上部端縁に、透明板の背面を係止する係止状態と、開放状態とに可動可能な可動係止片を設けた構成が提案される。かかる構成にあって、側壁部により透明板の横方向への動きが係止され、可動係止片を係止状態とすることにより、透明板の遊技盤方向への動きが係止されるから、透明板が一層安定的に保持されることとなる。さらに、透明板の装着位置がズレる等して装着作業をやり直すことも無くなるから、作業負担が一層軽減されることとなる。また、透明板下縁で挟持する透明板支承片の負担を軽くすることができるから、比較的長期間に渡って、適正な保持状態を継続することも可能となる。ここで、可動係止片を側壁部の上部端縁に設けることにより、透明板が上部と下部とで保持されるから、透明板のガタツキやズレ等を防止する効果が高い。また、可動係止片を係止状態と開放状態とに可動可能とすることにより、透明板の装着又は取り外し作業を、遊技盤方向から傾斜させて挿入することを妨げないから、上述の本発明の効果を適正に発揮し得る。
【００１６】
【発明の実施の形態】
以下、本発明をパチンコ遊技機に適用した実施形態を、添付図面に従って説明する。
このパチンコ遊技機は、図１に示されるように、遊技島設備に固定される長方形状の外枠１と、この外枠１の前面開口部分を覆う遊技機本体２とからなり、これらがヒンジ部材３を介して開閉可能に枢着されている。
【００１７】
前記遊技機本体２の前面には、ほぼ正方形状の開口部４が中央上部に形成される板状の前枠５が備えられ、この前枠５が前記ヒンジ部材３を介して外枠１に枢着されている。また、この前枠５には、前記開口部４に着脱可能に取付けられる遊技盤６と、この遊技盤６の前方に配設された透明前面扉７と、この透明前面扉７の下方側に配設された上皿部材８と、この上皿部材８の下方側に配設された下皿部材９と、この下皿部材９の右側に突出する発射ハンドル１０を有する発射装置（図示せず）とが備えられている。なお、透明前面扉７と上皿部材８はそれぞれヒンジ部材（図示せず）を介して前枠５に軸支されており、メンテナンス時等において片開き状にそれぞれ開閉し得るようになっている。
【００１８】
この透明前面扉７には、ほぼ正方形状の額縁状に形成された金属製の保持窓枠２１に内外のガラス板等からなる内透明板２０ａ及び外透明板２０ｂが装着されて構成される。ここで保持窓枠２１は、図２のように、透明前面扉７を縁取る矩形状の表飾り枠２５と、該表飾り枠２５の背面に固着される装着枠部２６とで形成され、該表飾り枠２５が前枠５の開口部４の左側部で軸支される。これにより透明前面扉７はその一側縁を遊技機本体２に枢支されて開閉可能に保持される。
【００１９】
そして、この保持窓枠２１の装着枠部２６に内透明板２０ａ及び外透明板２０ｂが装着される。この内透明板２０ａ及び外透明板２０ｂはその板面が遊技盤面と並行に配され、内透明板２０ａが遊技盤に対面して配設される。また、この装着枠部２６の内周には、左右側辺及び下辺に収納溝２３が形成されている。そして、この収納溝２３に外透明板２０ｂが嵌入されて装着される。この収納溝２３の上部は開口しており、外透明板２０ｂの嵌入及び取り出しを可能としている。さらに、この装着枠部２６には、収納溝２３の内側（遊技盤方向）に周設される区画部３０が形成されており、該区画部３０により内透明板２０ａと外透明板２０ｂとを区画して、その内部に遊技案内プレート５０が挿入可能な間隙を生じさせている。この区画部３０は、全周に形成され、これにより保持窓枠２１の矩形枠構造を規定して、その強度を確保している。尚、この透明板２０ａ，２０ｂは、通常、ガラス板が用いられる。
【００２０】
次に本発明の要部について説明する。
保持窓枠２１の装着枠部２６には、上述したように全周にわたって区画部３０が形成され、図３のように該区画部３０の左右両側部及び上部の内側に、内透明板２０ａの前面位置を規定する前係止面３１が設けられている。また、この区画部３０の左右両側には、遊技盤方向に向かって突成する側壁部３２，３２が一体的に形成されている（図１参照）。この側壁部３２，３２は、内透明板２０ａの両側縁の位置を規定する。尚、この側壁部３２，３２の突成幅は、装着される内透明板２０ａの板厚とほぼ同じとなるように形成されている。この側壁部３２，３２によって、内透明板２０ａの透明前面扉７の開放時の慣性力や、振動による横ズレを阻止することができる。
【００２１】
また、この側壁部３２，３２の上部端縁には、透明板面方向の外方向に夫々に突成される支軸基部３３，３３が設けられている（図１参照）。図３のように、この支軸基部３３には、透明板面方向で回動可能な可動係止片３５が、支軸３４により支持されている。また、この可動係止片３５を水平位置で保持するための保持突部３７も設けられている。そして、可動係止片３５を支軸３４を支点に上方向から回動することにより所定の水平保持位置Ａとして、内透明板２０ａの背面位置を規定する係止状態とする。また、この可動係止片３５が上向位置から下向位置Ｂまでの外方向に向かう領域では開放状態となる。尚、この可動係止片３５、３５は、左右両側の支軸基部３３，３３にそれぞれ配設される（図１参照）。
【００２２】
本発明にかかる実施形態例を、図４〜図６に従って説明する。
この実施形態例では、内透明板２０ａの下縁を挟持する透明板支承片４０が、保持窓枠２１の下辺に配設される。尚、本実施形態例にあっては、この透明板支承片４０は左右両側に二個設けられる構成としている。ここで、透明板支承片４０は、図４（イ）のように、一対の弾性側片４２，４２を有する断面袋状装着部４１を備える。この断面袋状装着部４１は、その下部に平面状の底面部４３が形成された凹形状となっており、該底面部４３の内平面４９で透明板２０ａの下端縁を支持することができる（図４（ロ））。また、弾性側片４２，４２は、この底面部４３の両端からそれぞれ内方向に傾斜する傾斜部を介して、ほぼ垂直となるように形成された挟持部４４，４４が連成され、さらに該挟持部４４、４４から相互に拡開方向へ傾斜する案内開口部４５，４５が形成されてなる。ここで、挟持部４４，４４間隔は、挟持される内透明板２０ａの板厚よりも狭くなるように構成されており、内透明板２０ａが挟持部４４，４４に挿入されて、挟持部４４，４４が夫々に外方向に拡げられることによって、内方向に反力を生じ、この反力による付勢によって内透明板２０ａを挟持することとなる（図４（ロ））。すなわち、断面袋状装着部４１は、一体的に形成されることによって、板バネと同じ作用を有するものである。これにより、内透明板２０ａが、所定位置に安定して保持されることとなる。尚、この挟持部４４，４４の内側面はほぼ垂直な平面で構成されており、この平面によって、内透明板２０ａに付勢する反力が面圧として作用するようにしている。また、案内開口部４５，４５は、内透明板２０ａが適切に透明板支承片４０に保持されるように、挟持部４４，４４間に挿入させる案内作用を有するものである。
【００２３】
また、この透明板支承片４０には、断面袋状装着部４１の底面部４３の片側から起立して外側に折れ曲がる係止幹４６が形成され、この係止幹４６の端部から、下方向にほぼ垂直に挿入突部４７が形成される。尚、この係止幹４６及び挿入突部４７は、透明板支承片４０の透明板面方向幅と同じ幅で形成されてなる（図５参照）。
【００２４】
このような透明板支承片４０は、保持窓枠２１の下辺に係脱可能に設けられる。図５（イ）のように、保持窓枠２１の装着枠部２６の下辺に形成された区画部３０には、左右両側二ヶ所に透明板支承片４０の挿入突部４７を挿入する長方形状の突部挿入口３６、３６が形成されている。また、区画部３０の下辺から、遊技盤方向に突成する下側支持部３７が形成され、該下側支持部３７の、透明板支承片４０の底面部４３の対向部位には、該底面部４３を嵌入する嵌入口３８，３８が形成される。そして、図５（ロ）のように、透明板支承片４０は、挿入突部４７を突部挿入口３６に挿入されると共に、その底面部４３を嵌入口３８に嵌入されて、装着枠部２６に係着される。ここで、下側支持部３７の上面と、底面部４３の内平面４９とは同じ平面となるようにして、両面で、内透明板２０ａの下縁を支持するようにしている。
【００２５】
このような本実施形態例にあって、内透明板２０ａを透明前面扉７に装着する手法を説明する。図６（イ）のように内透明板２０ａの下縁の左右両側二ヶ所に、透明板支承片４０，４０を案内開口部４５，４５から嵌め込み、該内透明板２０ａの下端面が底面部４３の内平面に接触する位置で、挟持部４４，４４により内透明板２０ａの下縁を挟持させた状態とする。そして、透明前面扉７を遊技機本体２に対して開放し、外透明板２０ｂを、上部開口から収納溝２３に嵌入して保持窓枠２１に装着する。ここで、装着枠部２６の側壁３２、３２にそれぞれ設けられた可動係止片３５、３５は開放状態とする。その後、図６（ロ）のように、前記の透明板支承片４０，４０を取り付けた内透明板２０ａを傾斜した状態で、該透明板支承片４０，４０の挿入突部４７，４７をそれぞれ、区画部３０の下辺に設けられた突部挿入口３６，３６に挿入する。そして、図６（ハ）のように、内透明板２０ａの下端部分を軸に、内透明板２０ａを区画部３０の前係止面３１で規定された装着位置まで傾動させてほぼ垂直状態とする。その後、可動係止片３５，３５を水平保持位置Ａに回動して、内透明板２０ａを係止させる。ここで、透明板支承片４０、４０は、下側支持部３７の嵌入口３８，３８に断面袋状装着部４１、４１の底面部４３，４３が嵌入された状態となり、下側支持部３７の上面と底面部４３の内平面４９とにより内透明板２０ａの下端縁を支持する。このように、内透明板２０ａが保持窓枠２１の装着枠部２６に装着されて、透明前面扉７を閉じることにより、パチンコ遊技機への透明板の装着作業が終了する。このように内透明板２０ａを、従来のように上下方向に大きく移動させることなく装着できるから、内透明板２０ａの装着作業を軽減でき、さらには誤って透明板を破損する可能性も激減する。また、同様に内透明板２０ａの取り外し作業も容易にできる。また、内透明板２０ａの上縁が可動係止片３５，３５で支持されることにより、安定的に保持されることとなる。
【００２６】
また、内透明板２０ａの装着手法としては、透明板支承片４０，４０を装着枠部２６に係着させた後に、傾斜状態で下端縁を該透明板支承片４０，４０の案内開口部４５，４５に従って挟持部４４，４４に挿入させ、徐々に内透明板２０ａをほぼ垂直状態となるように傾動させて所定の保持状態とすることによっても、保持窓枠２１に適正に装着することができる。
【００２７】
一方、外透明板２０ｂと内透明板２０ａとの間に、遊技案内プレート５０等を挿入する場合（図２参照）にあっては、透明前面扉７を開放し、上記の透明板支承片４０，４０の底面部４３，４３を下方から持ち上げることにより内透明板２０ａを上方向にスライドさせることができる。そして、このように内透明板２０ａをスライドさせた状態で遊技案内プレート５０を挿入した後、再び透明板支承片４０，４０の挿入突部４７，４７を突部挿入口３６，３６に挿入する。このように、遊技案内プレート５０の挿入作業は、透明板支承片４０、４０を持ち上げることによって行うことができるから、内透明板２０ａに直接触れることもないため、内透明板２０ａに手垢等が付着することもない。而して、従来のように遊技案内プレート５０を挿入後に手垢等をふき取る等の作業をする必要もないから、遊技案内プレート５０の挿入作業の負担を軽減できる。
【００２８】
上述した実施形態例は、保持窓枠２１の装着枠部２６に下側支持部３７を設け、該下側支持部３７に嵌入開口３８を形成するものであるが、他の実施形態例として、図７のように下側支持部３７を設けない装着枠部２６’とした構成とすることもできる。これにより、透明板支承片４０を作業者が扱いやすくなるから、内透明板２０ａの装着及び取り外し作業や、遊技案内プレート５０の挿入作業等の作業性が向上する。この下側支持部３７を設けない構成は、図５で示した上述の実施形態例の装着枠部２６とその他の構成が同じであり、構成部に同一符号を付してその説明を省略する。
【００２９】
また、上述の実施形態例は、透明板支承片４０を図４の形状とした構成であるが、その他の例として、図８のように指掛け突部４８を設けた透明板支承片４０’とした構成とすることもできる。この指掛け突部４８は、案内開口部４５の内側から連成されるようにして、内透明板２０ａを持ち上げる作業を、指掛け突部４８に指を引っ掛けて行うことができるから、遊技案内プレート５０を挿入する作業等を一層容易に行うことが可能となる。この指掛け突部４８を設けた透明板支承片４０’の構成は、図４で示した上述の実施形態例の透明板支承片４０とその他の構成は同じであり、構成部に同一符号を付してその説明を省略する。
【００３０】
また、上述の本実施形態例にあっては、内透明板２０ａのみを透明板支承片４０により装着されるようにしているが、外透明板２０ｂも同様に透明板支承片４０により保持窓枠２１に装着可能とすることもできる。このように、外透明板２０ｂと内透明板２０ａの両方を透明板支承片４０で保持する構成とすることにより、パチンコ遊技機の透明板装着作業及び取り外し作業にかかる負担が一層軽減される。また、透明板の挿入作業等で、誤って透明板を破損する可能性も激減する。
【００３１】
本発明はパチンコ遊技機だけでなく、遊技盤６を覆うように配設される透明板２０ａ，２０ｂを保持する保持窓枠２１を備える他の遊技機にも適用できる。
【００３２】
【発明の効果】
本発明は、透明前面扉の保持窓枠の下辺に、下部に底面部が形成された、透明板下縁を内外で挟持する断面袋状装着部を備え、断面袋状装着部の底面部で透明板の下端縁を支持する透明板支承片を、係脱可能に設けた構成としたものであるから、透明板支承片の内外の弾性側片から作用する付勢力によって透明板の下縁が挟持され、透明板を保持窓枠に安定的に保持することができる。また、透明板の挿入作業にあっては、透明板を透明板支承片への挿入させるに必要となる分だけ動かせば良いから、作業負担を軽減することができる。そして、このような透明板の挿入作業を、透明板の上下方向の移動だけでなく、前後方向の傾動によっても行うことができるから、挿入作業の作業性を一層向上させ得る。
【００３３】
このような透明板支承片が、下方向に突出する挿入突部を備えると共に、保持窓枠の下辺に設けられた突部挿入口に、該挿入突部を挿入して透明板支承片を保持窓枠に係着するようにした構成にあっては、透明板支承片と保持窓枠との係着にかかる力が、透明板を挟持する力に影響を及ぼすことを抑えることができるため、透明板を安定的に保持することが可能である。また、予め透明板に透明板支承片を取り付けた後に保持窓枠に係着させることも容易となる。
【００３４】
また、透明板支承片を持ち上げることにより、透明板を上方向に移動させることができるから、例えば、内外に二つの透明板を備える遊技機にあって、内外の透明板間にプレートを配する場合に、内側の透明板を上下方向にスライドさせる作業が容易となり、頻歩に行われるプレート挿入作業の負担が軽減される。さらに、透明板に直接触れることなくスライド作業を行うことが可能であるから、当該作業終了後に透明板に付着した手垢等をふき取る作業が必要ない。
【００３５】
また、上述の保持窓枠が、透明板下縁を支持する下側支持部を、下辺に沿って形成すると共に、該下側支持部の、透明板支承片の断面袋状装着部に対向する部位に、該装着部を嵌入する嵌入開口が形成されている構成にあっては、透明板は透明板支承片で挟持されると共に、下側支持部で支持されることとなり、一層安定して保持窓枠に保持される。さらに、透明板支承片の透明板の保持負担を軽減できるから、透明板支承片の疲労破壊に至る寿命を向上させることができる。また、透明板を上方向にスライドさせる作業にあっては、断面袋状装着部の下部を下から持ち上げて行うことができるから、当該作業を一層効率的に行うことができる。
【００３６】
一方、透明板支承片の内外一対の弾性側片に、透明板下縁を相互に挟持する挟持部と、該挟持部から相互に拡開方向へ傾斜する案内開口部とを備えている構成にあっては、透明板が案内開口部によって挟持部に案内され、該挟持部で適正に挟持されることとなる。また、案内開口部により、傾斜状態とした透明板を挿入する場合にあっても、該透明板を挟持部に適切に案内することができるから、傾斜状態で挿入して垂直状態に傾動させるような装着作業も容易に行い得る。
【００３７】
このような透明板支承片が、遊技盤方向に突成されて、透明板の持ち上げ操作を可能とする指掛け突部を備えている構成にあっては、透明前面扉を開放して、透明板を上方向に持ち上げる作業や、その後再び保持窓枠に装着させる作業を一層容易に行い得る。また、このように透明板を持ち上げる作業で、透明板に触れることなく作業することが可能であるから、当該作業終了後に透明板に付着した手垢等をふき取る作業が必要ない。
【００３８】
また、保持窓枠の両側辺に、透明板の両側縁を規定する透明板の厚さとほぼ等しい幅の側壁部を後方へ突成し、該側壁部の上部端縁に、透明板の背面を係止する係止状態と、開放状態とに可動可能な可動係止片を設けるようにした構成にあっては、透明板を保持窓枠に一層安定的に保持させることができる。また、透明板の装着位置がズレる等して装着作業をやり直すことも無くなり、作業負担が一層軽減されることとなる。
【図面の簡単な説明】
【図１】パチンコ遊技機の斜視図である。
【図２】透明前面扉７の縦断側面図である。
【図３】透明前面扉７の右上隅部を示す斜視図である。
【図４】透明板支承片４０の一具体例を表す側面図である。
【図５】透明板支承片４０を取り付ける装着枠部２６の右下隅部を示す斜視図である。
【図６】内透明板２０ａの装着作業の一例を表す説明図である。
【図７】透明板支承片４０を取り付ける他の例の装着枠部２６’の右下隅部を示す斜視図である。
【図８】透明板支承片４０’の他の具体例を説明する側面図である。
【符号の説明】
６  遊技盤
７  透明前面扉
２０ａ  内透明板
２０ｂ  外透明板
２１  保持窓枠
３２  側壁部
３０  区画部
３５  可動係止片
３６  突部挿入口
３７  下側支持部
３８  嵌入開口
４０，４０’  透明板支承片
４１  断面袋状装着部
４２  弾性側片
４４  挟持部
４５  案内開口部
４７  挿入突部
【図１】
0003934962.tif 000002
【図２】
0003934962.tif 000003
【図３】
0003934962.tif 000004
【図４】
0003934962.tif 000005
【図５】
0003934962.tif 000006
【図６】
0003934962.tif 000007
【図７】
0003934962.tif 000008
【図８】
0003934962.tif 000009